(57)【要約】【課題】本発明はマスク包装機を開示した。【解決手段】本体を含み、前記本体の上端には左右に対称的な二つの輪軸が回転できるように設置されており、前記輪軸には伝送輪が固定的に設置されており、前記伝送輪の間にはコンベアベルトにより連結されており、前記伝送輪の右側、かつ前記本体の中に位置するところには開けチャンバが設置されており、前記開けチャンバの中にはスライド板が設置されており、前記スライド板の中には貫通溝が設置されており、本発明は構造が簡単で、操作が便利であり、独立的に包装されたマスクは重ねと、ケース入れと、折畳みケース密封との過程により送り出され、操作が連続的であり、またその過程では、装置が全自動化で操作し、エネルギー消耗が低く、効率が高い。【選択図】図１
2020172329.tif 000002
【特許請求の範囲】
【請求項１】
本体を含み、前記本体の上端には左右に対称的な二つの輪軸が回転できるように設置されており、前記輪軸には伝送輪が固定的に設置されており、前記伝送輪の間にはコンベアベルトにより連結されており、前記伝送輪の右側、かつ前記本体の中に位置するところには開けチャンバが設置されており、前記開けチャンバの中にはスライド板が設置されており、前記スライド板の中には貫通溝が設置されており、前記開けチャンバの右側壁の中には開け溝が連通し設置されており、前記開け溝の中には回転軸が回転できるように設置されており、前記回転軸と前記輪軸とがベルトにより連結されており、前記回転軸には前記スライド板と噛合する不規則歯車が前後に対称的に固定的に設置されており、前記開け溝の下側には収縮溝が設置されており、前記収縮溝の中にはプッシュ板がスライドできるように設置されており、前記収縮溝の下側には動力装置が設置されており、前記動力装置と前記プッシュ板とが当接しており、前記収縮溝の右側にはガイド溝が連通し設置されており、前記プッシュ板の右端面にはガイドロッドが固定的に設置されており、前記ガイド溝の下側にはプッシュ溝が設置されており、前記プッシュ溝の中には前記プッシュ板とネジ山により連結されている回転筒が回転できるように設置されており、前記プッシュ溝の下側には駆動装置が設置されており、前記駆動装置と前記回転筒とが噛合しており、前記開けチャンバの左側には反転チャンバが連通し設置されており、前記反転チャンバの中には連結軸により反転板が回転できるように設置されており、前記反転板には紙ケースが置かれており、前記紙ケースの中にはケースチャンバが設置されており、前記紙ケースの右端の上下端には内蓋が固定的に設置されており、前記紙ケースの前後端には外蓋が固定的に設置されており、前記反転チャンバの下側には折畳装置が固定的に設置されており、前記折畳装置が前記内蓋を折畳むことができ、前記反転チャンバの前側にはプッシュチャンバが連通し設置されており、前記プッシュチャンバの中にはプッシュロッドがスライドできるように設置されており、前記プッシュチャンバの上側には凹溝が連通し設置されており、前記凹溝の中には第一軸により駆動輪が回転できるように設置されており、前記第一軸と前記駆動装置とが動力が伝達できるように連結されており、前記プッシュチャンバの下側には送り装置が設置されており、前記送り装置と前記連結軸とが動力が伝達できるように連結され、前記反転チャンバの後側には搬送チャンバが連通し設置されており、前記搬送チャンバの中には搬送ベルトが設置されており、
マスクを前記ケースチャンバの中に入れ、そして前記紙ケースを密封し、そして前記搬送ベルトにより送り出すことを特徴とするマスク包装機。
【請求項２】
前記動力装置は動力チャンバを含み、前記動力チャンバの中にはスライドブロックが設置されており、前記スライドブロックと前記動力チャンバとの間には押圧ばねが固定的に設置されており、前記スライドブロックの中には第一モータが固定的に設置されており、前記第一モータの両端にはモータ軸が動力が伝達できるように連結されており、左側の前記モータ軸には噛合歯車が固定的に設置されており、右側の前記モータ軸の右端には第一傘歯車が連結されており、前記動力チャンバの中には歯車軸により第二傘歯車が回転できるように設置されており、前記歯車軸と前記回転軸とが伝動ベルトにより連結されており、前記動力チャンバと前記収縮溝との間には押圧溝が連通し設置されており、前記押圧溝の中には前記スライドブロックと固定的に連結されている押圧ロッドが設置されており、
前記スライドブロックが移動し、前記第一モータが二つの装置を駆動し独立的に作動させることを特徴とする請求項１に記載のマスク包装機。
【請求項３】
前記駆動装置は駆動チャンバを含み、前記駆動チャンバの中には移動ブロックが設置されており、前記移動ブロックの中には第二モータが固定的に設置されており、前記第二モータの両端にはスプライン軸が動力が伝達できるように連結されており、前記駆動チャンバの両側には前記スプライン軸とスプラインにより連結されることができるスプラインブロックが回転できるように設置されており、左側の前記スプラインブロックと前記第一軸とが歯状ベルトにより連結されており、前記駆動チャンバの上側には回転溝が設置されており、前記回転溝の中には第二軸により回転輪が回転できるように設置されており、前記第二軸と右側の前記スプラインブロックとが連結ベルトにより連結されており、前記駆動チャンバの左側には連結溝により連通溝が連通し設置されており、前記連結溝の中には右端が前記移動ブロックと固定的に連結されている連結ロッドがスライドできるように設置されており、前記連結ロッドの下端には前記連結ロッドをリセットする第一リセット部品が固定的に設置されており、前記連通溝の中には前記連結ロッドの左端と当接する押圧ブロックがスライドできるように設置されており、前記押圧ブロックの左端には前記押圧ブロックをリセットする第二リセット部品が固定的に設置されており、
前記移動ブロックが移動し、前記第二モータが二つの装置を駆動し独立的に作動させることを特徴とする請求項１に記載のマスク包装機。
【請求項４】
前記折畳装置は上下に対称的なスライド溝を含み、前記スライド溝の中にはスライドロッドがスライドできるように設置されており、前記スライド溝の前側には回転チャンバが連通し設置されており、前記回転チャンバの中には回転ロッドが回転できるように設置されており、前記回転ロッドと前記回転チャンバとの間には回転ばねが固定的に設置されており、前記回転チャンバの左側には空き溝が連通し設置されており、前記空き溝の中には前記回転ロッドと噛合している旋転輪が回転できるように設置されており、前記旋転輪の前端面には第三傘歯車が固定的に設置されており、前記空き溝の中には固定軸により前記旋転輪と噛合している第四傘歯車が回転できるように設置されており、前記固定軸の間が同期ベルトにより動力が伝達できるように連結されており、上下側の前記第四傘歯車と前記第三傘歯車との噛合位置が逆であり、下側の前記固定軸の右端が前記動力チャンバの中に挿入されており、かつ下側の前記固定軸の右端にはリングギヤが固定的に設置されており、
前記スライドロッドが相対的に移動し前記内蓋を折畳むことを特徴とする請求項１に記載のマスク包装機。
【請求項５】
前記送り装置は前記プッシュチャンバと連通する空きチャンバを含み、前記空きチャンバの中には前記プッシュロッドと噛合している連結歯車が回転できるように設置されており、前記連結歯車の前端には第五傘歯車が固定的に設置されており、前記第五傘歯車の右端には第六傘歯車が噛合しており、前記第六傘歯車の心棒と前記連結軸とが連動ベルトにより動力が伝達できるように連結されており、
前記プッシュロッドが移動し前記連結軸を回転連動させることを特徴とする請求項１に記載のマスク包装機。
【発明の詳細な説明】
【技術分野】
【０００１】
本発明は日常用品分野を取り上げて、具体的にはマスク包装機である。
【背景技術】
【０００２】
現在のマスク包装機はただ使い捨てマスクだけ独立的に包装し、包装した後に、人工で一定の数量でケースに入れる必要があり、販売包装とし、その過程では時間がかかり、生産効率が低く、従って、既存技術のマスク包装機を更に改善する必要があり、それにより包装効率を高める。
【先行技術文献】
【特許文献】
【０００３】
【特許文献１】中国特許出願公開第１０９１７８５１３号明細書
【発明の概要】
【発明が解決しようとする課題】
【０００４】
本発明の目的はマスク包装機を提供し、それは上記の現在の技術中の問題を解決できる。
【課題を解決するための手段】
【０００５】
本発明のマスク包装機は、本体を含み、前記本体の上端には左右に対称的な二つの輪軸が回転できるように設置されており、前記輪軸には伝送輪が固定的に設置されており、前記伝送輪の間にはコンベアベルトにより連結されており、前記伝送輪の右側、かつ前記本体の中に位置するところには開けチャンバが設置されており、前記開けチャンバの中にはスライド板が設置されており、前記スライド板の中には貫通溝が設置されており、前記開けチャンバの右側壁の中には開け溝が連通し設置されており、前記開け溝の中には回転軸が回転できるように設置されており、前記回転軸と前記輪軸とがベルトにより連結されており、前記回転軸には前記スライド板と噛合する不規則歯車が前後に対称的に固定的に設置されており、前記開け溝の下側には収縮溝が設置されており、前記収縮溝の中にはプッシュ板がスライドできるように設置されており、前記収縮溝の下側には動力装置が設置されており、前記動力装置と前記プッシュ板とが当接しており、前記収縮溝の右側にはガイド溝が連通し設置されており、前記プッシュ板の右端面にはガイドロッドが固定的に設置されており、前記ガイド溝の下側にはプッシュ溝が設置されており、前記プッシュ溝の中には前記プッシュ板とネジ山により連結されている回転筒が回転できるように設置されており、前記プッシュ溝の下側には駆動装置が設置されており、前記駆動装置と前記回転筒とが噛合しており、前記開けチャンバの左側には反転チャンバが連通し設置されており、前記反転チャンバの中には連結軸により反転板が回転できるように設置されており、前記反転板には紙ケースが置かれており、前記紙ケースの中にはケースチャンバが設置されており、前記紙ケースの右端の上下端には内蓋が固定的に設置されており、前記紙ケースの前後端には外蓋が固定的に設置されており、前記反転チャンバの下側には折畳装置が固定的に設置されており、前記折畳装置が前記内蓋を折畳むことができ、前記反転チャンバの前側にはプッシュチャンバが連通し設置されており、前記プッシュチャンバの中にはプッシュロッドがスライドできるように設置されており、前記プッシュチャンバの上側には凹溝が連通し設置されており、前記凹溝の中には第一軸により駆動輪が回転できるように設置されており、前記第一軸と前記駆動装置とが動力が伝達できるように連結されており、前記プッシュチャンバの下側には送り装置が設置されており、前記送り装置と前記連結軸とが動力が伝達できるように連結され、前記反転チャンバの後側には搬送チャンバが連通し設置されており、前記搬送チャンバの中には搬送ベルトが設置されており、
マスクを前記ケースチャンバの中に入れ、そして前記紙ケースを密封し、そして前記搬送ベルトにより送り出す。
【０００６】
更の技術プラン、、前記動力装置は動力チャンバを含み、前記動力チャンバの中にはスライドブロックが設置されており、前記スライドブロックと前記動力チャンバとの間には押圧ばねが固定的に設置されており、前記スライドブロックの中には第一モータが固定的に設置されており、前記第一モータの両端にはモータ軸が動力が伝達できるように連結されており、左側の前記モータ軸には噛合歯車が固定的に設置されており、右側の前記モータ軸の右端には第一傘歯車が連結されており、前記動力チャンバの中には歯車軸により第二傘歯車が回転できるように設置されており、前記歯車軸と前記回転軸とが伝動ベルトにより連結されており、前記動力チャンバと前記収縮溝との間には押圧溝が連通し設置されており、前記押圧溝の中には前記スライドブロックと固定的に連結されている押圧ロッドが設置されており、
前記スライドブロックが移動し、前記第一モータが二つの装置を駆動し独立的に作動させる。
【０００７】
更の技術プラン、、前記駆動装置は駆動チャンバを含み、前記駆動チャンバの中には移動ブロックが設置されており、前記移動ブロックの中には第二モータが固定的に設置されており、前記第二モータの両端にはスプライン軸が動力が伝達できるように連結されており、前記駆動チャンバの両側には前記スプライン軸とスプラインにより連結されることができるスプラインブロックが回転できるように設置されており、左側の前記スプラインブロックと前記第一軸とが歯状ベルトにより連結されており、前記駆動チャンバの上側には回転溝が設置されており、前記回転溝の中には第二軸により回転輪が回転できるように設置されており、前記第二軸と右側の前記スプラインブロックとが連結ベルトにより連結されており、前記駆動チャンバの左側には連結溝により連通溝が連通し設置されており、前記連結溝の中には右端が前記移動ブロックと固定的に連結されている連結ロッドがスライドできるように設置されており、前記連結ロッドの下端には前記連結ロッドをリセットする第一リセット部品が固定的に設置されており、前記連通溝の中には前記連結ロッドの左端と当接する押圧ブロックがスライドできるように設置されており、前記押圧ブロックの左端には前記押圧ブロックをリセットする第二リセット部品が固定的に設置されており、
前記移動ブロックが移動し、前記第二モータが二つの装置を駆動し独立的に作動させる。
【０００８】
更の技術プラン、、前記折畳装置は上下に対称的なスライド溝を含み、前記スライド溝の中にはスライドロッドがスライドできるように設置されており、前記スライド溝の前側には回転チャンバが連通し設置されており、前記回転チャンバの中には回転ロッドが回転できるように設置されており、前記回転ロッドと前記回転チャンバとの間には回転ばねが固定的に設置されており、前記回転チャンバの左側には空き溝が連通し設置されており、前記空き溝の中には前記回転ロッドと噛合している旋転輪が回転できるように設置されており、前記旋転輪の前端面には第三傘歯車が固定的に設置されており、前記空き溝の中には固定軸により前記旋転輪と噛合している第四傘歯車が回転できるように設置されており、前記固定軸の間が同期ベルトにより動力が伝達できるように連結されており、上下側の前記第四傘歯車と前記第三傘歯車との噛合位置が逆であり、下側の前記固定軸の右端が前記動力チャンバの中に挿入されており、かつ下側の前記固定軸の右端にはリングギヤが固定的に設置されており、
前記スライドロッドが相対的に移動し前記内蓋を折畳む。
【０００９】
更の技術プラン、、前記送り装置は前記プッシュチャンバと連通する空きチャンバを含み、前記空きチャンバの中には前記プッシュロッドと噛合している連結歯車が回転できるように設置されており、前記連結歯車の前端には第五傘歯車が固定的に設置されており、前記第五傘歯車の右端には第六傘歯車が噛合しており、前記第六傘歯車の心棒と前記連結軸とが連動ベルトにより動力が伝達できるように連結されており、
前記プッシュロッドが移動し前記連結軸を回転連動させる。
【発明の効果】
【００１０】
本発明の有益的な効果は：本発明は構造が簡単で、操作が便利であり、独立的に包装されたマスクは重ねと、ケース入れと、折畳みケース密封との過程により送り出され、操作が連続的であり、またその過程では、装置が全自動化で操作し、エネルギー消耗が低く、効率が高い。
【図面の簡単な説明】
【００１１】
【図１】図１は本発明のマスク包装機の内部全体構成略図
【図２】図２は本発明の図１のＡの拡大構成略図
【図３】図３は本発明の図２のＢの拡大構成略図
【図４】図４は本発明の図１のＣ−Ｃ方向の構成略図
【図５】図５は本発明の図４のＤの拡大構成略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５に参照し、本発明のマスク包装機は、本体１０を含み、前記本体１０の上端には左右に対称的な二つの輪軸１１が回転できるように設置されており、前記輪軸１１には伝送輪１２が固定的に設置されており、前記伝送輪１２の間にはコンベアベルト１３により連結されており、前記伝送輪１２の右側、かつ前記本体１０の中に位置するところには開けチャンバ１４が設置されており、前記開けチャンバ１４の中にはスライド板１５が設置されており、前記スライド板１５の中には貫通溝１６が設置されており、前記開けチャンバ１４の右側壁の中には開け溝１７が連通し設置されており、前記開け溝１７の中には回転軸１８が回転できるように設置されており、前記回転軸１８と前記輪軸１１とがベルト２０により連結されており、前記回転軸１８には前記スライド板１５と噛合する不規則歯車１９が前後に対称的に固定的に設置されており、前記開け溝１７の下側には収縮溝２１が設置されており、前記収縮溝２１の中にはプッシュ板２４がスライドできるように設置されており、前記収縮溝２１の下側には動力装置１００が設置されており、前記動力装置１００と前記プッシュ板２４とが当接しており、前記収縮溝２１の右側にはガイド溝２５が連通し設置されており、前記プッシュ板２４の右端面にはガイドロッド２６が固定的に設置されており、前記ガイド溝２５の下側にはプッシュ溝２２が設置されており、前記プッシュ溝２２の中には前記プッシュ板２４とネジ山により連結されている回転筒２３が回転できるように設置されており、前記プッシュ溝２２の下側には駆動装置２００が設置されており、前記駆動装置２００と前記回転筒２３とが噛合しており、前記開けチャンバ１４の左側には反転チャンバ３１が連通し設置されており、前記反転チャンバ３１の中には連結軸３７により反転板３２が回転できるように設置されており、前記反転板３２には紙ケース３３が置かれており、前記紙ケース３３の中にはケースチャンバ３４が設置されており、前記紙ケース３３の右端の上下端には内蓋３５が固定的に設置されており、前記紙ケース３３の前後端には外蓋３６が固定的に設置されており、前記反転チャンバ３１の下側には折畳装置３００が固定的に設置されており、前記折畳装置３００が前記内蓋３５を折畳むことができ、前記反転チャンバ３１の前側にはプッシュチャンバ４４が連通し設置されており、前記プッシュチャンバ４４の中にはプッシュロッド４５がスライドできるように設置されており、前記プッシュチャンバ４４の上側には凹溝４７が連通し設置されており、前記凹溝４７の中には第一軸４８により駆動輪４９が回転できるように設置されており、前記第一軸４８と前記駆動装置２００とが動力が伝達できるように連結されており、前記プッシュチャンバ４４の下側には送り装置４００が設置されており、前記送り装置４００と前記連結軸３７とが動力が伝達できるように連結され、前記反転チャンバ３１の後側には搬送チャンバ５５が連通し設置されており、前記搬送チャンバ５５の中には搬送ベルト５６が設置されており、
マスクを前記ケースチャンバ３４の中に入れ、そして前記紙ケース３３を密封し、そして前記搬送ベルト５６により送り出す。
【００１４】
有益的には、前記動力装置１００は動力チャンバ６４を含み、前記動力チャンバ６４の中にはスライドブロック６５が設置されており、前記スライドブロック６５と前記動力チャンバ６４との間には押圧ばね７４が固定的に設置されており、前記スライドブロック６５の中には第一モータ６６が固定的に設置されており、前記第一モータ６６の両端にはモータ軸６７が動力が伝達できるように連結されており、左側の前記モータ軸６７には噛合歯車６８が固定的に設置されており、右側の前記モータ軸６７の右端には第一傘歯車６９が連結されており、前記動力チャンバ６４の中には歯車軸７１により第二傘歯車７０が回転できるように設置されており、前記歯車軸７１と前記回転軸１８とが伝動ベルト８８により連結されており、前記動力チャンバ６４と前記収縮溝２１との間には押圧溝７２が連通し設置されており、前記押圧溝７２の中には前記スライドブロック６５と固定的に連結されている押圧ロッド７３が設置されており、
前記スライドブロック６５が移動し、前記第一モータ６６が二つの装置を駆動し独立的に作動させる。
【００１５】
有益的には、前記駆動装置２００は駆動チャンバ８１を含み、前記駆動チャンバ８１の中には移動ブロック８２が設置されており、前記移動ブロック８２の中には第二モータ８３が固定的に設置されており、前記第二モータ８３の両端にはスプライン軸８５が動力が伝達できるように連結されており、前記駆動チャンバ８１の両側には前記スプライン軸８５とスプラインにより連結されることができるスプラインブロック８４が回転できるように設置されており、左側の前記スプラインブロック８４と前記第一軸４８とが歯状ベルト８６により連結されており、前記駆動チャンバ８１の上側には回転溝２７が設置されており、前記回転溝２７の中には第二軸２９により回転輪２８が回転できるように設置されており、前記第二軸２９と右側の前記スプラインブロック８４とが連結ベルト３０により連結されており、前記駆動チャンバ８１の左側には連結溝７８により連通溝７５が連通し設置されており、前記連結溝７８の中には右端が前記移動ブロック８２と固定的に連結されている連結ロッド７９がスライドできるように設置されており、前記連結ロッド７９の下端には前記連結ロッド７９をリセットする第一リセット部品８０が固定的に設置されており、前記連通溝７５の中には前記連結ロッド７９の左端と当接する押圧ブロック７６がスライドできるように設置されており、前記押圧ブロック７６の左端には前記押圧ブロック７６をリセットする第二リセット部品７７が固定的に設置されており、
前記移動ブロック８２が移動し、前記第二モータ８３が二つの装置を駆動し独立的に作動させる。
【００１６】
有益的には、前記折畳装置３００は上下に対称的なスライド溝３９を含み、前記スライド溝３９の中にはスライドロッド４０がスライドできるように設置されており、前記スライド溝３９の前側には回転チャンバ３８が連通し設置されており、前記回転チャンバ３８の中には回転ロッド４１が回転できるように設置されており、前記回転ロッド４１と前記回転チャンバ３８との間には回転ばね４２が固定的に設置されており、前記回転チャンバ３８の左側には空き溝５８が連通し設置されており、前記空き溝５８の中には前記回転ロッド４１と噛合している旋転輪５９が回転できるように設置されており、前記旋転輪５９の前端面には第三傘歯車６０が固定的に設置されており、前記空き溝５８の中には固定軸６２により前記旋転輪５９と噛合している第四傘歯車６１が回転できるように設置されており、前記固定軸６２の間が同期ベルト５７により動力が伝達できるように連結されており、上下側の前記第四傘歯車６１と前記第三傘歯車６０との噛合位置が逆であり、下側の前記固定軸６２の右端が前記動力チャンバ６４の中に挿入されており、かつ下側の前記固定軸６２の右端にはリングギヤ６３が固定的に設置されており、
前記スライドロッド４０が相対的に移動し前記内蓋３５を折畳む。
【００１７】
有益的には、前記送り装置４００は前記プッシュチャンバ４４と連通する空きチャンバ５０を含み、前記空きチャンバ５０の中には前記プッシュロッド４５と噛合している連結歯車５１が回転できるように設置されており、前記連結歯車５１の前端には第五傘歯車５２が固定的に設置されており、前記第五傘歯車５２の右端には第六傘歯車５３が噛合しており、前記第六傘歯車５３の心棒５４と前記連結軸３７とが連動ベルト４３により動力が伝達できるように連結されており、
前記プッシュロッド４５が移動し前記連結軸３７を回転連動させる。
【００１８】
初期状態に、第一傘歯車６９と第二傘歯車７０とが噛合しており、スプライン軸８５と右側のスプラインブロック８４とが連結されている。
【００１９】
作動するとき、単一パッケージのマスクをコンベアベルト１３に置き、第一モータ６６が作動して第二傘歯車７０を回転連動させ、それにより不規則歯車１９が回転し、コンベアベルト１３がそれと共に間欠的に回転しマスクをスライド板１５まで送り、スライド板１５が下がり、第二モータ８３が作動して回転輪２８を回転連動させ、回転筒２３が回転し、それによりプッシュ板２４が左にマスクをプッシュしケースチャンバ３４の中に入らせ、このとき、押圧ロッド７３が上昇し、噛合歯車６８とリングギヤ６３とが噛合し、第一モータ６６が固定軸６２を回転連動させ、それにより二つの旋転輪５９が逆方向に回転し、二つの回転ロッド４１が回転し、スライドロッド４０を駆動し向かい合って移動させ、内蓋３５を折畳み、このとき、押圧ブロック７６が上昇し、移動ブロック８２が左に移動し、スプライン軸８５と左側のスプラインブロック８４とが連結され、それにより第二モータ８３が駆動輪４９を回転駆動し、プッシュロッド４５を左に移動連動させ、それにより連結歯車５１が回転し、連動ベルト４３により反転板３２を回転連動させ、紙ケース３３が上に開口するように回転し、プッシュロッド４５が後に移動し続け前側の外蓋３６を折畳み、また紙ケース３３をプッシュし後に移動させ後側の外蓋３６を折畳み、紙ケース３３が折畳まれた後に搬送ベルト５６に入り送り出される。
【００２０】
本発明の有益的な効果は：本発明は構造が簡単で、操作が便利であり、独立的に包装されたマスクは重ねと、ケース入れと、折畳みケース密封との過程により送り出され、操作が連続的であり、またその過程では、装置が全自動化で操作し、エネルギー消耗が低く、効率が高い。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172329.tif 000003
【図２】
2020172329.tif 000004
【図３】
2020172329.tif 000005
【図４】
2020172329.tif 000006
【図５】
2020172329.tif 000007
【手続補正書】
【提出日】令和1年8月28日(2019.8.28)
【手続補正１】
【補正対象書類名】特許請求の範囲
【補正対象項目名】請求項４
【補正方法】変更
【補正の内容】
【請求項４】
前記折畳装置は上下に対称的なスライド溝を含み、前記スライド溝の中にはスライドロッドがスライドできるように設置されており、前記スライド溝の左側には回転チャンバが連通し設置されており、前記回転チャンバの中には回転ロッドが回転できるように設置されており、前記回転ロッドと前記回転チャンバとの間には回転ばねが固定的に設置されており、前記回転チャンバの左側には空き溝が連通し設置されており、前記空き溝の中には前記回転ロッドと噛合している旋転輪が回転できるように設置されており、前記旋転輪の前端面には第三傘歯車が固定的に設置されており、前記空き溝の中には固定軸により前記旋転輪と噛合している第四傘歯車が回転できるように設置されており、前記固定軸の間が同期ベルトにより動力が伝達できるように連結されており、上下側の前記第四傘歯車と前記第三傘歯車との噛合位置が逆であり、下側の前記固定軸の右端が前記動力チャンバの中に挿入されており、かつ下側の前記固定軸の右端にはリングギヤが固定的に設置されており、
前記スライドロッドが相対的に移動し前記内蓋を折畳むことを特徴とする請求項１に記載のマスク包装機。
【手続補正２】
【補正対象書類名】明細書
【補正対象項目名】全文
【補正方法】変更
【補正の内容】
【発明の詳細な説明】
【技術分野】
【０００１】
本発明は日常用品分野を取り上げて、具体的にはマスク包装機である。
【背景技術】
【０００２】
現在のマスク包装機はただ使い捨てマスクだけ独立的に包装し、包装した後に、人工で一定の数量でケースに入れる必要があり、販売包装とし、その過程では時間がかかり、生産効率が低く、従って、既存技術のマスク包装機を更に改善する必要があり、それにより包装効率を高める。
【先行技術文献】
【特許文献】
【０００３】
【特許文献１】中国特許出願公開第１０９１７８５１３号明細書
【発明の概要】
【発明が解決しようとする課題】
【０００４】
本発明の目的はマスク包装機を提供し、それは上記の現在の技術中の問題を解決できる。
【課題を解決するための手段】
【０００５】
本発明のマスク包装機は、本体を含み、前記本体の上端には左右に対称的な二つの輪軸が回転できるように設置されており、前記輪軸には伝送輪が固定的に設置されており、前記伝送輪の間にはコンベアベルトにより連結されており、前記伝送輪の右側、かつ前記本体の中に位置するところには開けチャンバが設置されており、前記開けチャンバの中にはスライド板が設置されており、前記スライド板の中には貫通溝が設置されており、前記開けチャンバの右側壁の中には開け溝が連通し設置されており、前記開け溝の中には回転軸が回転できるように設置されており、前記回転軸と前記輪軸とがベルトにより連結されており、前記回転軸には前記スライド板と噛合する不規則歯車が前後に対称的に固定的に設置されており、前記開け溝の下側には収縮溝が設置されており、前記収縮溝の中にはプッシュ板がスライドできるように設置されており、前記収縮溝の下側には動力装置が設置されており、前記動力装置と前記プッシュ板とが当接しており、前記収縮溝の右側にはガイド溝が連通し設置されており、前記プッシュ板の右端面にはガイドロッドが固定的に設置されており、前記ガイド溝の下側にはプッシュ溝が設置されており、前記プッシュ溝の中には前記プッシュ板とネジ山により連結されている回転筒が回転できるように設置されており、前記プッシュ溝の下側には駆動装置が設置されており、前記駆動装置と前記回転筒とが噛合しており、前記開けチャンバの左側には反転チャンバが連通し設置されており、前記反転チャンバの中には連結軸により反転板が回転できるように設置されており、前記反転板には紙ケースが置かれており、前記紙ケースの中にはケースチャンバが設置されており、前記紙ケースの右端の上下端には内蓋が固定的に設置されており、前記紙ケースの前後端には外蓋が固定的に設置されており、前記反転チャンバの下側には折畳装置が固定的に設置されており、前記折畳装置が前記内蓋を折畳むことができ、前記反転チャンバの前側にはプッシュチャンバが連通し設置されており、前記プッシュチャンバの中にはプッシュロッドがスライドできるように設置されており、前記プッシュチャンバの上側には凹溝が連通し設置されており、前記凹溝の中には第一軸により駆動輪が回転できるように設置されており、前記第一軸と前記駆動装置とが動力が伝達できるように連結されており、前記プッシュチャンバの下側には送り装置が設置されており、前記送り装置と前記連結軸とが動力が伝達できるように連結され、前記反転チャンバの後側には搬送チャンバが連通し設置されており、前記搬送チャンバの中には搬送ベルトが設置されており、
マスクを前記ケースチャンバの中に入れ、そして前記紙ケースを密封し、そして前記搬送ベルトにより送り出す。
【０００６】
更の技術プラン、、前記動力装置は動力チャンバを含み、前記動力チャンバの中にはスライドブロックが設置されており、前記スライドブロックと前記動力チャンバとの間には押圧ばねが固定的に設置されており、前記スライドブロックの中には第一モータが固定的に設置されており、前記第一モータの両端にはモータ軸が動力が伝達できるように連結されており、左側の前記モータ軸には噛合歯車が固定的に設置されており、右側の前記モータ軸の右端には第一傘歯車が連結されており、前記動力チャンバの中には歯車軸により第二傘歯車が回転できるように設置されており、前記歯車軸と前記回転軸とが伝動ベルトにより連結されており、前記動力チャンバと前記収縮溝との間には押圧溝が連通し設置されており、前記押圧溝の中には前記スライドブロックと固定的に連結されている押圧ロッドが設置されており、
前記スライドブロックが移動し、前記第一モータが二つの装置を駆動し独立的に作動させる。
【０００７】
更の技術プラン、、前記駆動装置は駆動チャンバを含み、前記駆動チャンバの中には移動ブロックが設置されており、前記移動ブロックの中には第二モータが固定的に設置されており、前記第二モータの両端にはスプライン軸が動力が伝達できるように連結されており、前記駆動チャンバの両側には前記スプライン軸とスプラインにより連結されることができるスプラインブロックが回転できるように設置されており、左側の前記スプラインブロックと前記第一軸とが歯状ベルトにより連結されており、前記駆動チャンバの上側には回転溝が設置されており、前記回転溝の中には第二軸により回転輪が回転できるように設置されており、前記第二軸と右側の前記スプラインブロックとが連結ベルトにより連結されており、前記駆動チャンバの左側には連結溝により連通溝が連通し設置されており、前記連結溝の中には右端が前記移動ブロックと固定的に連結されている連結ロッドがスライドできるように設置されており、前記連結ロッドの下端には前記連結ロッドをリセットする第一リセット部品が固定的に設置されており、前記連通溝の中には前記連結ロッドの左端と当接する押圧ブロックがスライドできるように設置されており、前記押圧ブロックの左端には前記押圧ブロックをリセットする第二リセット部品が固定的に設置されており、
前記移動ブロックが移動し、前記第二モータが二つの装置を駆動し独立的に作動させる。
【０００８】
更の技術プラン、、前記折畳装置は上下に対称的なスライド溝を含み、前記スライド溝の中にはスライドロッドがスライドできるように設置されており、前記スライド溝の左側には回転チャンバが連通し設置されており、前記回転チャンバの中には回転ロッドが回転できるように設置されており、前記回転ロッドと前記回転チャンバとの間には回転ばねが固定的に設置されており、前記回転チャンバの左側には空き溝が連通し設置されており、前記空き溝の中には前記回転ロッドと噛合している旋転輪が回転できるように設置されており、前記旋転輪の前端面には第三傘歯車が固定的に設置されており、前記空き溝の中には固定軸により前記旋転輪と噛合している第四傘歯車が回転できるように設置されており、前記固定軸の間が同期ベルトにより動力が伝達できるように連結されており、上下側の前記第四傘歯車と前記第三傘歯車との噛合位置が逆であり、下側の前記固定軸の右端が前記動力チャンバの中に挿入されており、かつ下側の前記固定軸の右端にはリングギヤが固定的に設置されており、
前記スライドロッドが相対的に移動し前記内蓋を折畳む。
【０００９】
更の技術プラン、、前記送り装置は前記プッシュチャンバと連通する空きチャンバを含み、前記空きチャンバの中には前記プッシュロッドと噛合している連結歯車が回転できるように設置されており、前記連結歯車の前端には第五傘歯車が固定的に設置されており、前記第五傘歯車の右端には第六傘歯車が噛合しており、前記第六傘歯車の心棒と前記連結軸とが連動ベルトにより動力が伝達できるように連結されており、
前記プッシュロッドが移動し前記連結軸を回転連動させる。
【発明の効果】
【００１０】
本発明の有益的な効果は：本発明は構造が簡単で、操作が便利であり、独立的に包装されたマスクは重ねと、ケース入れと、折畳みケース密封との過程により送り出され、操作が連続的であり、またその過程では、装置が全自動化で操作し、エネルギー消耗が低く、効率が高い。
【図面の簡単な説明】
【００１１】
【図１】図１は本発明のマスク包装機の内部全体構成略図
【図２】図２は本発明の図１のＡの拡大構成略図
【図３】図３は本発明の図２のＢの拡大構成略図
【図４】図４は本発明の図１のＣ−Ｃ方向の構成略図
【図５】図５は本発明の図４のＤの拡大構成略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５に参照し、本発明のマスク包装機は、本体１０を含み、前記本体１０の上端には左右に対称的な二つの輪軸１１が回転できるように設置されており、前記輪軸１１には伝送輪１２が固定的に設置されており、前記伝送輪１２の間にはコンベアベルト１３により連結されており、前記伝送輪１２の右側、かつ前記本体１０の中に位置するところには開けチャンバ１４が設置されており、前記開けチャンバ１４の中にはスライド板１５が設置されており、前記スライド板１５の中には貫通溝１６が設置されており、前記開けチャンバ１４の右側壁の中には開け溝１７が連通し設置されており、前記開け溝１７の中には回転軸１８が回転できるように設置されており、前記回転軸１８と前記輪軸１１とがベルト２０により連結されており、前記回転軸１８には前記スライド板１５と噛合する不規則歯車１９が前後に対称的に固定的に設置されており、前記開け溝１７の下側には収縮溝２１が設置されており、前記収縮溝２１の中にはプッシュ板２４がスライドできるように設置されており、前記収縮溝２１の下側には動力装置１００が設置されており、前記動力装置１００と前記プッシュ板２４とが当接しており、前記収縮溝２１の右側にはガイド溝２５が連通し設置されており、前記プッシュ板２４の右端面にはガイドロッド２６が固定的に設置されており、前記ガイド溝２５の下側にはプッシュ溝２２が設置されており、前記プッシュ溝２２の中には前記プッシュ板２４とネジ山により連結されている回転筒２３が回転できるように設置されており、前記プッシュ溝２２の下側には駆動装置２００が設置されており、前記駆動装置２００と前記回転筒２３とが噛合しており、前記開けチャンバ１４の左側には反転チャンバ３１が連通し設置されており、前記反転チャンバ３１の中には連結軸３７により反転板３２が回転できるように設置されており、前記反転板３２には紙ケース３３が置かれており、前記紙ケース３３の中にはケースチャンバ３４が設置されており、前記紙ケース３３の右端の上下端には内蓋３５が固定的に設置されており、前記紙ケース３３の前後端には外蓋３６が固定的に設置されており、前記反転チャンバ３１の下側には折畳装置３００が固定的に設置されており、前記折畳装置３００が前記内蓋３５を折畳むことができ、前記反転チャンバ３１の前側にはプッシュチャンバ４４が連通し設置されており、前記プッシュチャンバ４４の中にはプッシュロッド４５がスライドできるように設置されており、前記プッシュチャンバ４４の上側には凹溝４７が連通し設置されており、前記凹溝４７の中には第一軸４８により駆動輪４９が回転できるように設置されており、前記第一軸４８と前記駆動装置２００とが動力が伝達できるように連結されており、前記プッシュチャンバ４４の下側には送り装置４００が設置されており、前記送り装置４００と前記連結軸３７とが動力が伝達できるように連結され、前記反転チャンバ３１の後側には搬送チャンバ５５が連通し設置されており、前記搬送チャンバ５５の中には搬送ベルト５６が設置されており、
マスクを前記ケースチャンバ３４の中に入れ、そして前記紙ケース３３を密封し、そして前記搬送ベルト５６により送り出す。
【００１４】
有益的には、前記動力装置１００は動力チャンバ６４を含み、前記動力チャンバ６４の中にはスライドブロック６５が設置されており、前記スライドブロック６５と前記動力チャンバ６４との間には押圧ばね７４が固定的に設置されており、前記スライドブロック６５の中には第一モータ６６が固定的に設置されており、前記第一モータ６６の両端にはモータ軸６７が動力が伝達できるように連結されており、左側の前記モータ軸６７には噛合歯車６８が固定的に設置されており、右側の前記モータ軸６７の右端には第一傘歯車６９が連結されており、前記動力チャンバ６４の中には歯車軸７１により第二傘歯車７０が回転できるように設置されており、前記歯車軸７１と前記回転軸１８とが伝動ベルト８８により連結されており、前記動力チャンバ６４と前記収縮溝２１との間には押圧溝７２が連通し設置されており、前記押圧溝７２の中には前記スライドブロック６５と固定的に連結されている押圧ロッド７３が設置されており、
前記スライドブロック６５が移動し、前記第一モータ６６が二つの装置を駆動し独立的に作動させる。
【００１５】
有益的には、前記駆動装置２００は駆動チャンバ８１を含み、前記駆動チャンバ８１の中には移動ブロック８２が設置されており、前記移動ブロック８２の中には第二モータ８３が固定的に設置されており、前記第二モータ８３の両端にはスプライン軸８５が動力が伝達できるように連結されており、前記駆動チャンバ８１の両側には前記スプライン軸８５とスプラインにより連結されることができるスプラインブロック８４が回転できるように設置されており、左側の前記スプラインブロック８４と前記第一軸４８とが歯状ベルト８６により連結されており、前記駆動チャンバ８１の上側には回転溝２７が設置されており、前記回転溝２７の中には第二軸２９により回転輪２８が回転できるように設置されており、前記第二軸２９と右側の前記スプラインブロック８４とが連結ベルト３０により連結されており、前記駆動チャンバ８１の左側には連結溝７８により連通溝７５が連通し設置されており、前記連結溝７８の中には右端が前記移動ブロック８２と固定的に連結されている連結ロッド７９がスライドできるように設置されており、前記連結ロッド７９の下端には前記連結ロッド７９をリセットする第一リセット部品８０が固定的に設置されており、前記連通溝７５の中には前記連結ロッド７９の左端と当接する押圧ブロック７６がスライドできるように設置されており、前記押圧ブロック７６の左端には前記押圧ブロック７６をリセットする第二リセット部品７７が固定的に設置されており、
前記移動ブロック８２が移動し、前記第二モータ８３が二つの装置を駆動し独立的に作動させる。
【００１６】
有益的には、前記折畳装置３００は上下に対称的なスライド溝３９を含み、前記スライド溝３９の中にはスライドロッド４０がスライドできるように設置されており、前記スライド溝３９の左側には回転チャンバ３８が連通し設置されており、前記回転チャンバ３８の中には回転ロッド４１が回転できるように設置されており、前記回転ロッド４１と前記回転チャンバ３８との間には回転ばね４２が固定的に設置されており、前記回転チャンバ３８の左側には空き溝５８が連通し設置されており、前記空き溝５８の中には前記回転ロッド４１と噛合している旋転輪５９が回転できるように設置されており、前記旋転輪５９の前端面には第三傘歯車６０が固定的に設置されており、前記空き溝５８の中には固定軸６２により前記旋転輪５９と噛合している第四傘歯車６１が回転できるように設置されており、前記固定軸６２の間が同期ベルト５７により動力が伝達できるように連結されており、上下側の前記第四傘歯車６１と前記第三傘歯車６０との噛合位置が逆であり、下側の前記固定軸６２の右端が前記動力チャンバ６４の中に挿入されており、かつ下側の前記固定軸６２の右端にはリングギヤ６３が固定的に設置されており、
前記スライドロッド４０が相対的に移動し前記内蓋３５を折畳む。
【００１７】
有益的には、前記送り装置４００は前記プッシュチャンバ４４と連通する空きチャンバ５０を含み、前記空きチャンバ５０の中には前記プッシュロッド４５と噛合している連結歯車５１が回転できるように設置されており、前記連結歯車５１の前端には第五傘歯車５２が固定的に設置されており、前記第五傘歯車５２の右端には第六傘歯車５３が噛合しており、前記第六傘歯車５３の心棒５４と前記連結軸３７とが連動ベルト４３により動力が伝達できるように連結されており、
前記プッシュロッド４５が移動し前記連結軸３７を回転連動させる。
【００１８】
初期状態に、第一傘歯車６９と第二傘歯車７０とが噛合しており、スプライン軸８５と右側のスプラインブロック８４とが連結されている。
【００１９】
作動するとき、単一パッケージのマスクをコンベアベルト１３に置き、第一モータ６６が作動して第二傘歯車７０を回転連動させ、それにより不規則歯車１９が回転し、コンベアベルト１３がそれと共に間欠的に回転しマスクをスライド板１５まで送り、スライド板１５が下がり、第二モータ８３が作動して回転輪２８を回転連動させ、回転筒２３が回転し、それによりプッシュ板２４が左にマスクをプッシュしケースチャンバ３４の中に入らせ、このとき、押圧ロッド７３が上昇し、噛合歯車６８とリングギヤ６３とが噛合し、第一モータ６６が固定軸６２を回転連動させ、それにより二つの旋転輪５９が逆方向に回転し、二つの回転ロッド４１が回転し、スライドロッド４０を駆動し向かい合って移動させ、内蓋３５を折畳み、このとき、押圧ブロック７６が上昇し、移動ブロック８２が左に移動し、スプライン軸８５と左側のスプラインブロック８４とが連結され、それにより第二モータ８３が駆動輪４９を回転駆動し、プッシュロッド４５を左に移動連動させ、それにより連結歯車５１が回転し、連動ベルト４３により反転板３２を回転連動させ、紙ケース３３が上に開口するように回転し、プッシュロッド４５が後に移動し続け前側の外蓋３６を折畳み、また紙ケース３３をプッシュし後に移動させ後側の外蓋３６を折畳み、紙ケース３３が折畳まれた後に搬送ベルト５６に入り送り出される。
【００２０】
本発明の有益的な効果は：本発明は構造が簡単で、操作が便利であり、独立的に包装されたマスクは重ねと、ケース入れと、折畳みケース密封との過程により送り出され、操作が連続的であり、またその過程では、装置が全自動化で操作し、エネルギー消耗が低く、効率が高い。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。